(57)【特許請求の範囲】
【請求項１】
電子機器に設けられた電池室と、前記電池室に収容された電池の正負の電極に当接してこれら正負の電極と接続される第１、第２導通部とを備えた電池収容機構において、
前記電池室に収容された状態の電池に当接可能で電池室の一部を構成する当接部材を設け、
前記当接部材と前記第１、第２導通部の一方が一体的に形成され、
前記電子機器は外装を有し、前記外装の少なくとも一部は導電性材料で形成され、
前記電池室は前記外装の内部に設けられ、
前記当接部材は、この当接部材と一体的に形成された第１、第２導通部の一方と前記導電性材料間を電気的に導通させるように構成されている、
ことを特徴とする電子機器の電池収容機構。
【請求項２】
前記当接部材は導電性材料で形成されていることを特徴とする請求項１記載の電子機器の電池収容機構。
【請求項３】
前記当接部材は、この当接部材の部分が前記導電性材料の部分に取着されることで支持されており、前記当接部材と前記導電性材料の間の電気的な導通は、前記当接部材の部分が前記導電性材料の部分に取着された箇所により行なわれていることを特徴とする請求項１または２記載の電子機器の電池収容機構。
【請求項４】
前記第１、第２導通部の一方は前記電池の負側の電極に接続されることを特徴とする請求項１乃至３に何れか１項記載の電子機器の電池収容機構。
【請求項５】
前記電池は円柱状を呈し、その軸線上の両端部に正負の電極がそれぞれ形成され、前記当接部材は前記電池の円柱状の胴部に沿って延在し前記胴部に当接可能に設けられた板状の当接部と、前記板状の当接部から屈曲され前記電池の正負の電極の一方に当接可能に設けられた接続片部とを有し、前記板状の当接部により前記電池室の一部が構成され、前記接続片部により前記第１、第２導通部の一方が構成されていることを特徴とする請求項１乃至４に何れか１項記載の電子機器の電池収容機構。
【請求項６】
前記電子機器はカメラであることを特徴とする請求項１乃至５に何れか１項記載の電子機器の電池収容機構。
【発明の詳細な説明】
【０００１】
【発明の属する技術分野】
本発明は電子機器の電池収容機構に関する。
【０００２】
【従来の技術】
電池から電力供給を受けて動作するカメラなどの電子機器には電池を収容する電池収容機構が設けられている。
電池収容機構は電池を収容する電池室を備えており、この電池室は、機器を構成する外装の内部に配設され、電池の正負の電極に接続される接片が設けられている。
従来、電池室は、電池の外形に沿った形状に成形された部材によって構成されている。
【０００３】
【発明が解決しようとする課題】
このような電池の外形に沿った形状に成形された部材によって構成された電池室を有する従来の電池収容機構では、電池室を構成する部材を成形する際に、部材の形状が複雑になりがちで部材の成形にコストがかかるという問題がある。
また、電池室を構成する部材が外装の内部空間を占有して省スペース化が難しいという問題もある。
本発明は前記事情に鑑み案出されたものであって、本発明の目的は、コストダウンができかつ省スペースが可能な電子機器の電池収容機構を提供することにある。
【０００４】
【課題を解決するための手段】
本発明は、電子機器に設けられた電池室と、前記電池室に収容された電池の正負の電極に当接してこれら正負の電極と接続される第１、第２導通部とを備えた電池収容機構において、前記電池室に収容された状態の電池に当接可能で電池室の一部を構成する当接部材を設け、前記当接部材と前記第１、第２導通部の一方が一体的に形成され、前記電子機器は外装を有し、前記外装の少なくとも一部は導電性材料で形成され、前記電池室は前記外装の内部に設けられ、前記当接部材は、この当接部材と一体的に形成された第１、第２導通部の一方と前記導電性材料間を電気的に導通させるように構成されていることを特徴とする。
そのため、当接部材によって電池室の一部が構成されるので、電池室を構成する部材の形状が単純なもので済み、電池室を構成する部材の成形コストを低減できる。また、当接部材と第１、第２導通部の一方が一体的に形成されているので、電池室を構成する部材を減らすことができ省スペースを図ることができる。
【０００５】
【発明の実施の形態】
以下、本発明の実施の形態について図面を参照して説明する。
本実施の形態では、本発明の電池収容機構をカメラに適用した場合について説明する。
図１は本発明の電池収容機構の実施の形態の構成を示す正面図、図２は図１を矢印Ａ方向から見た側面図、図３は当接部材の説明図であり、図３（Ａ）は当接部材の平面図、図３（Ｂ）は当接部材の正面図、図３（Ｃ）は当接部材の左側面図である。図４は当接部材の外観斜視図である。
図５は本発明の電池収容機構を備えたカメラの内部構成を示す図であり、図５（Ａ）はカメラを上方から見た状態を示す説明図、図５（Ｂ）はカメラを背面から見た状態を示す説明図、図５（Ｃ）はカメラを図５（Ｂ）の矢印Ｂ方向から見た状態を示す説明図である。
【０００６】
まず、図５を参照してカメラの概略構成について説明する。
カメラ１０００は、カメラ本体１００、鏡胴２００、ファインダ光学系３００、カートリッジ収容室４００、フィルム巻き取り室５００、発光部６００、ＡＦ機構７００、ＡＥ機構８００、電池収容機構９００などを有して構成されている。
カメラ本体１００は、少なくとも一部が導電性材料から構成された外装１０２を有して構成されている。
外装１０２は、矩形状の底壁１０２Ａ、底壁１０２Ａの側縁から立ち上げられた側壁１０２Ｂ、１０２Ｃ、１０２Ｄ、１０２Ｅ、各側壁１０２Ｂ乃至１０２Ｅの上部を接続する矩形状の上壁１０２Ｆから構成されている。これら底壁１０２Ａ、側壁１０２Ｂ乃至１０２Ｅ、上壁１０２Ｆによって内部空間が構成されている。
【０００７】
カメラ本体１００の正面のほぼ中央の箇所には鏡胴２００が設けられており、鏡胴２００を挟んで背面から見て右側にフィルムカートリッジを収容するカートリッジ収容室４００が、左側にフィルムカートリッジから繰り出されたフィルムを巻き取る巻き取りスプール（図略）が配設されたフィルム巻き取り室５００がそれぞれ設けられている。
カメラ本体１００の鏡胴２００の上部にはファインダ光学系３００が配設され、ファインダ光学系３００の左側にはカメラ１００の正面側に沿ってほぼ直線状に自動焦点調整を行うためのＡＦ機構７００と、自動露出調整を行うためのＡＥ機構８００と、フラッシュ光を発光する発光部６００とがこの順番で配設されている。
そして、カメラ本体１００の上部でファインダ光学系３００、ＡＦ機構７００、ＡＥ機構８００、発光部６００によって囲まれた空間に本発明の電池収容機構９００が配設されている。電池収容機構９００には円柱状の胴部を有する電池１１０が収容されている。
【０００８】
次に、図１、図２を参照して電池収容機構の構成について説明する。
電池収容機構９００は、ハウジング９１０、当接部材９２０、蓋部９３０などから構成されている。
また、図１に示されているように、電池１１０は、円柱状の外周面１１６からなる胴部を有し、軸線上の一端に負側の電極１１２が、他端に正側の電極１１４が設けられている。
ハウジング９１０は、カメラ本体１００の外装１０２によって構成される内部空間内に配設され外装１０２に対して固定されている。
そして、ハウジング９１０は、外装１０２の側壁１０２Ｄ、１０２Ｅと上壁１０２Ｆの内方に臨む面に臨む箇所に設けられた底壁９１２と側壁９１４が設けられている。
【０００９】
底壁９１２は、電池１１０の軸線方向のほぼ全域に沿って延在する矩形状の底面９１２Ａを形成している。
側壁９１４は、底壁９１２の長手方向の側縁のうち、カメラ本体１００の正面側（図２で左側）の側縁から立設されており、電池１１０の軸線上のほぼ全域に沿って、かつ、軸線の周方向のほぼ半分に沿って延在する円筒内周面状の側面９１４Ａを形成している。
外装１０２の側壁１０２Ｅは、傾斜壁１０２Ｇを介して上壁１０２Ｆに接続されており、側壁１０２Ｅ、傾斜壁１０２Ｇ、上壁１０２Ｆの内方に臨む面は、電池１１０の軸線方向の全域と軸線の周方向の一部にわたって延在している。
【００１０】
当接部材９２０は、後述するように、ハウジング９１０の底壁９１２の長手方向の縁部のうち、カメラ本体１００の背面側（図２で右側）の縁部と、外装１０２の側壁１０２Ｅとの間の隙間に電池１１０の軸線方向と軸線の周方向にわたって延在する板状の当接部９２６を備えている。
【００１１】
外装１０２の側壁１０２Ｅ、傾斜壁１０２Ｇ、上壁１０２Ｆ、ハウジング９１０の底壁９１２のうち、カメラ本体１００を背面から見て左側の側部（図１で左側）によって外方に開放された電池挿入口９４０が構成されており、この電池挿入口９４０を開閉するための蓋部９３０が図略のヒンジ機構などによって外装１０２の電池挿入口９４０の近傍に取り付けられている。
【００１２】
そして、外装１０２の側壁１０２Ｅ、傾斜壁１０２Ｇ、上壁１０２Ｆ、ハウジング９１０の底壁９１２と側壁９１４、当接部材９２０の当接部９２６、蓋部９３０によって電池１１０を収容する電池室９５０が構成されている。
なお、蓋部９３０には、電池室９５０の内方に面した箇所に電池１１０の正側の電極１１４に接続可能な図略の接続片が設けられている。この接続片は、何れも図略のリード線を介して回路基板に接続されるようになっている。
【００１３】
次に、図３、図４を参照して支持部材の構成について詳述する。
当接部材９２０は、導電性材料、例えば金属板から形成されており、第１取付片部９２２、接続片部９２４（特許請求の範囲の第１、第２導通部の一方に相当）、当接部９２６（特許請求の範囲の板状の当接部に相当）、第２取付片部９２８などを有して構成されている。なお、蓋部９３０の接続片は、特許請求の範囲の第１、第２当接部のうち、接続片部９２４に相当しない方を構成している。
第１取付片部９２２は、側縁９２２Ａ、９２２Ｃ、９２２Ｄと、側縁９２２Ｄと平行をなし側縁９２２Ａ、９２２Ｃと直交する方向に延在する折り曲げ線９２２Ｂとで囲まれた矩形状の領域から形成され、その矩形状の領域の中央には取り付け用のねじが挿通されるねじ挿通孔９２２Ｅが設けられている。
第１取付片部９２２の側縁９２２Ａからは矩形板状の接続片部９２４が屈曲されている。接続片部９２４は、上方に向かうにつれてねじ挿通孔９２２Ｅの軸線に近接する方向に傾斜され、その上端部の幅方向には接続片部９２４の傾斜方向と同じ方向に曲げられた当接端部９２４Ａが延在して設けられている。
接続片部９２４は、当接端部９２４Ａが接続片部９２４の厚さ方向の力を受けた際にその力と反対方向の応力を生じる弾性を有している。
【００１４】
図３（Ａ）に示されているように、折り曲げ線９２２Ｂを挟んで第１取付片部９２２の反対側には、電池１１０の軸線方向に延在する板状の当接部９２６が接続されている。すなわち、当接部９２６は次のように形成されている。
当接部９２６は、折り曲げ線９２２Ｂと、第１取付片部９２２の側縁９２２Ａの延長線上に延在する側縁９２６Ｃと、側縁９２６Ｃの側縁９２２Ａと反対側の端部から電池１１０の軸線方向に延在する側縁９２６Ｂと、この側縁９２６Ｂの側縁９２６Ｃと反対側の端部から側縁９２６Ｂと直交する方向に延在する側縁９２６Ｄと、側縁９２６Ｄの側縁９２６Ｂと反対側の端部から電池１１０の軸線方向に延在する側縁９２６Ａと、側縁９２６Ａの側縁９２６Ｄの反対側の端部から側縁９２６Ａと直交する方向に延在し第１取付片部９２２の側縁９２２Ｃの延長線上に延在する側縁９２６Ｅとによって囲まれた領域から形成されている。
図３（Ｃ）、図４に示されているように、当接部９２６は、第１取付片部９２２側の側縁９２６Ａから側縁９２６Ｂに向かうに従って上方に傾斜して設けられている。
【００１５】
当接部９２６の側縁９２６Ｂのうち、側縁９２６Ｄに近い箇所から下方に向けて第２取付片部９２８が屈曲されて設けられている。
第２取付片部９２８は、２つの被挟持片９２８Ａ、９２８Ｂと、２つの折り曲げ片９２８Ｃ、９２８Ｄを有している。
２つの被挟持片９２８Ａ、９２８Ｂは、当接部９２６の側縁９２６Ｂから下方に向けて、すなわち第１取付片部９２２と直交する方向に向けて互いに間隔をおいて延在されている。これら被挟持片９２８Ａ、９２８Ｂの間にねじが挿通される挿通溝９２８Ｅが形成されている。
２つの折り曲げ片９２８Ｃ、９２８Ｄは、当接部９２６の側縁９２６Ｂのうち被挟持片９２８Ａ、９２８Ｂと間隔をおいて外側から挟む２つの位置からそれぞれ下方に向けて延在されている。図３（Ｃ）に示されているように、これら折り曲げ片９２８Ｃ、９２８Ｄは、それらの面が下方に向かうにつれて２つの被挟持片９２８Ａ、９２８Ｂの面から離間する方向に傾斜し、かつ、当接部９２６の面とほぼ平行をなすように延在されている。
なお、上記のようにこれら折り曲げ片９２８Ｃ、９２８Ｄの面が被挟持片９２８Ａ、９２８Ｂの面に対して傾斜した形状に形成されている理由は次のとおりである。
すなわち、後述する図２に示されているように、被挟持片９２８Ａ、９２８Ｂはハウジング９１０の側部９１４と外装１０２の側壁１０２Ｅとの間に挟まれてねじ止めされる。この際、これら折り曲げ片９２８Ｃ、９２８Ｄが上記のように傾斜していると、これら折り曲げ片９２８Ｃ、９２８Ｄが外装１０２の側壁１０２Ｅから離間することになり、これら折り曲げ片９２８Ｃ、９２８Ｄにリード線を半田付けするために必要な空間が確保されるからである。
【００１６】
次に、図１乃至図４を参照して電池収容機構の構成についてさらに詳細に説明する。
図２に示されていているように、ハウジング９１０の底壁９１２には、ねじ孔９１２Ａ１が設けられており、ねじ１２０が当接部材９２０の第１取付片部９２２のねじ挿通孔９２２Ｅを介してねじ孔９１２Ａ１に螺合されることで第１取付片部９２２は、ハウジング９１０に取着されている。なお、図１にはねじ１２０が示されていない。
図２に示されているように、外装１０２の側壁１０２Ｅと平行方向に延在するハウジング９１０の側部９１４には、側壁１０２Ｅの厚さ方向に延在するねじ孔９１４Ｂが設けられており、このねじ孔９１４Ｂに対向する外装１０２の側壁１０２Ｅの箇所にはねじ挿通孔１０２Ｅ１が設けられている。
【００１７】
そして、ハウジング９１０の側部９１４と側壁１０２Ｅの間には、当接部材９２０の第２取付片部９２８の被挟持片９２８Ａ、９２８Ｂが挟まれており、当接部材９２０のねじ挿通溝９２８Ｅがねじ孔９１４Ｂとねじ挿通孔１０２Ｅ１の軸線上に位置した状態となっている。
その状態でねじ１２２が外装１０２の側壁１０２Ｅの外方からねじ挿通孔１０２Ｅ１、ねじ挿通溝９２８Ｅを介してハウジング９１０の側部９１４のねじ孔９１４Ｂに螺合されることで、第２取付片部９２８はハウジング９１０と外装１０２の間に挟まれた状態で取着されている。
すなわち、当接部材９２０の第２取付片部９２８は、外装１０２の側壁１０２Ｅに当接した状態でねじ１２２とハウジング９１０の側部９１４とによって取着されている。
したがって、外装１０２と当接部材９２０が共に導電性材料で形成されているため、当接部材９２０の第２取付片部９２８が外装１０２の側壁１０２Ｅに接触した状態で取着されることで、この取着された箇所によって電池１１０の負側の電極１１２が当接部材９２０を介して外装１０２に導通される。
また、当接部材９２０は、図略のリード線が折り曲げ片９２８Ｃ、９２８Ｄに半田付けなどによって接続されることで前述した回路基板に接続されている。
【００１８】
次に、上述のように構成された電池収容機構９００の作用について説明する。電池１１０を電池収容機構９００の電池室９５０に収容する場合について説明する。
まず、蓋部９３０を操作して電池挿入口９４０を開放し、この電池挿入口９４０から電池１１０をその負側の電極１１２を前にして電池室９５０に挿入する。
【００１９】
そして、蓋部９３０を操作して電池挿入口９４０を閉鎖する。この際、電池１１０の電極１１２は、当接部材９２０の接続片部９２４の当接端部９２４Ａに当接した状態となっており、接続片部９２４はその弾性によって電極１１２を電池挿入口９４０向きに付勢しているため、蓋部９３０を接続片部９２４の付勢力に抗して閉めることになる。
これにより、電池１１０の正側の電極１１４は蓋部９３０の接続片に弾力的に当接され、負側の電極１１２は接続片部９２４の当接端部９２４Ａに弾力的に当接され、それぞれ電気的接続が確実に行われるようになっている。
また、電池１１０は、その外周面１１６がハウジング９１０の壁部９１４の側面９１４Ａ、ハウジング９１０の底壁９１２、外装１０２の上壁１０２Ｆ、傾斜部１０２Ｇ、側壁１０２Ｅ、当接部材９２０の当接部９２６に当接可能な状態で電池室９５０内に収容される。
なお、電池１１０を電池室９５０から抜き取る際には蓋部９３０を開放して電池１１０を電池挿入口９４０から抜き取ればよい。
【００２０】
前述したように、蓋部９３０の接続片と当接部材９２０がそれぞれ別のリード線を介して回路基板に接続されることで電池１１０の電流が回路基板に供給される。
また、当接部材９２０の第２取付片部９２８が外装１０２の側壁１０２Ｅに接触した状態で取着され、この取着された箇所によって電池１１０の負側の電極１１２が当接部材９２０を介して外装１０２に導通されて接地される。
したがって、電池１１０の負側の電圧を外装１０２に接地するために、リード線などの配線部材が不要となり、コストと手間を減らすことができる。
【００２１】
また、ハウジング９１０の底壁９１２および壁部９１４と、外装１０２の上壁１０２Ｆ、傾斜部１０２Ｇ、側壁１０２Ｅと、当接部材９２０の当接部９２６とによって電池１１０を収容する電池室９５０が構成されている。つまり、当接部材９２０の当接部９２６によって電池室９５０の一部が構成されている。
すなわち、電池を収容する電池室の一部を当接部材９２０によって構成することによって、従来に比較して電池室を構成する部材、例えばハウジングの部分が単純な形状で済み、ハウジングの成形にかかるコストを削減することが可能となる効果がある。
また、当接部材９２０と電池１１０の電極に接続される接続片部９２４が一体的に形成されているので、電池室５２０を構成する部材が少なくて済み、小スペース化を図ることができる。
【００２２】
なお、本実施の形態では、当接部材９２０を導電性材料から構成したが、当接部材の９２０のうち、接続片部９２４を導電性材料から構成し、当接部９２６を非導電性材料から構成してもよい。この場合、接続片部９２４を外装１０２に接地する必要があれば、リード線によって接続片部９２４と外装１０２を接続すればよい。
また、当接部材９２０は導電性材料から構成する必要はなく、非導電性部材の表面が導電性材料で覆われていてもよい。
また、本発明はカメラ以外の電子機器に適用可能であることはもちろんである。
【００２３】
【発明の効果】
以上の説明で明らかなように本発明は、電池室と、第１、第２導通部とを備えた電池収容機構において、電池室に収容された状態の電池に当接可能で電池室の一部を構成する当接部材を設け、当接部材と第１、第２導通部の一方が一体的に形成され、前記電子機器は外装を有し、前記外装の少なくとも一部は導電性材料で形成され、前記電池室は前記外装の内部に設けられ、前記当接部材は、この当接部材と一体的に形成された第１、第２導通部の一方と前記導電性材料間を電気的に導通させるように構成されていることを特徴とする。
そのため、当接部材によって電池室の一部が構成されるので、電池室を構成する部材の形状が単純なもので済み、電池室を構成する部材の成形コストを低減できる。また、当接部材と第１、第２導通部の一方が一体的に形成されているので、電池室を構成する部材を減らすことができ省スペースを図ることができる。
【図面の簡単な説明】
【図１】本発明の電池収容機構の実施の形態の構成を示す正面図である。
【図２】図１を矢印Ａ方向から見た側面図である。
【図３】当接部材の説明図であり、図３（Ａ）は当接部材の平面図、図３（Ｂ）は当接部材の正面図、図３（Ｃ）は当接部材の左側面図である。
【図４】当接部材の外観斜視図である。
【図５】本発明の電池収容機構を備えたカメラの内部構成を示す図であり、図５（Ａ）はカメラを上方から見た状態を示す説明図、図５（Ｂ）はカメラを背面から見た状態を示す説明図、図５（Ｃ）はカメラを図５（Ｂ）の矢印Ｂ方向から見た状態を示す説明図である。
【符号の説明】
１０２  外装
１１０  電池
９００  電池収容機構
９２０  当接部材
９２６  当接部
９２４  接続片部
９５０  電池収容室
１０００  カメラ（電子機器）
【図１】
0004428760.tif 000002
【図２】
0004428760.tif 000003
【図３】
0004428760.tif 000004
【図４】
0004428760.tif 000005
【図５】
0004428760.tif 000006